(57)【要約】【課題】システム資源に負荷をかけることなく、ユーザが周辺機器に依頼したジョブに関する情報が周辺機器の管理対象外となった後でも、ジョブの処理状況や処理結果を確実に把握することである。【解決手段】外部装置によるジョブ依頼の際には、システム内で一意に特定可能なジョブ識別情報がジョブ依頼コマンド内に設定される。周辺機器ａ０１は、ジョブ依頼に伴い、このジョブ識別情報を取り出し、ジョブ実行から完了まではジョブキュー内で、ジョブ完了後は周辺機器ａ０１内のログ情報内で管理する。また、周辺機器ａ０１のログ情報を管理するログ管理サーバａ０５が存在し、周辺機器ａ０１よりログを取得・管理する。周辺機器ａ０１に対してジョブの処理結果を確認すると、周辺機器ａ０１のジョブキュー内、ログ情報内を探索し、所望のジョブがこれらの中に見つからなければ、さらにログ管理サーバ内を探索する。【選択図】      図１
2004157833.tif 000002
【特許請求の範囲】
【請求項１】
外部から送信される制御コマンドを解析して所定のジョブを処理する周辺機器であって、
前記ジョブの処理を要求するジョブ処理要求に応じて、該ジョブの管理情報を記憶装置内に生成するジョブ受付手段と、
前記周辺機器外で付与されたジョブ識別情報を、前記ジョブ受付手段で生成される該ジョブの管理情報内に記録するジョブ属性設定手段と、
前記ジョブの処理の開始から終了までの一連の処理状況又は該ジョブの機能設定情報を前記ジョブ受付手段で生成される該ジョブの管理情報内に管理するジョブ管理手段と、
前記ジョブの処理の完了に伴い、該ジョブのログ情報を記憶装置内に生成し、該ジョブの前記ジョブ識別情報と、該ジョブの機能設定情報又は処理結果とをログ情報内に記録するログ記録手段と、
前記周辺機器と接続可能な、前記ログ情報を外部で永続管理するサーバ装置を設定するサーバ設定手段と、
前記サーバ設定手段で設定されたサーバ装置に、前記ログ情報をアップロードするアップロード手段と、
前記ジョブ管理を要求するコマンドに基づき、前記管理情報あるいは前記ログ情報より指定のジョブ識別情報を探索する探索手段と、
前記探索手段において、前記管理情報より指定のジョブ識別情報を探索できた場合に、前記管理情報より該当するジョブの機能設定情報又は処理状況を取得して、前記コマンドの送信元に返信する管理情報返信手段と、
前記探索手段において、前記ログ情報より指定のジョブ識別情報を探索できた場合に、前記ログ情報より該当するジョブの機能設定情報又は処理結果を取得して、前記コマンドの送信元に返信するログ情報返信手段と、
前記探索手段において、前記管理情報および前記ログ情報いずれからも指定のジョブ識別情報を探索できなかった場合に、前記サーバ装置に対して指定のジョブ識別情報に基づくログ情報の取得を要求し、該当するジョブの機能設定情報又は処理結果を取得して、前記コマンドの送信元に返信するサーバログ情報返信手段と、
を有することを特徴とする周辺機器。
【発明の詳細な説明】
【０００１】
【発明の属する技術分野】
本発明は、外部から送信される制御コマンドを解析して所定のジョブ要求およびジョブ管理要求を処理する周辺機器の制御に関するものである。
【０００２】
【従来の技術】
従来、プリンタ、スキャナ、複写機、ＦＡＸ等の周辺機器においては、ユーザが依頼したジョブの処理状況を確認するコマンドが用意されており、それを利用して、ユーザは投入したジョブの処理状況や処理結果を知ることができるように構成されている。
【０００３】
また、周辺機器から自主的にジョブの処理状況や処理結果を通知することができるように構成されている。
【０００４】
さらに、記録媒体（ハードディスク装置などを利用）を周辺機器に実装することで、ジョブ処理の完了後、その処理結果や諸処の情報をログ情報として書き込むことが可能に構成され、ユーザはそのログ情報を取得することで、ジョブの処理結果などを確認することができるように構成されている。
【０００５】
【発明が解決しようとする課題】
従来の周辺機器は上記のように構成されているので、周辺機器内のジョブ管理資源は有限であり、多数のジョブを永続して管理することはできない。
【０００６】
よって、周辺機器内におけるジョブ管理は、そのジョブの受付後からジョブが完了するまでの間だけである。そのため、ジョブの処理状況の確認も、ジョブの受付後からジョブが完了するまでの間のみが有効であり、ジョブ処理完了後は処理状況を確認できなくなってしまう。
【０００７】
また、周辺機器から自主的にジョブの処理状況や処理結果を伝えるとしても、ネットワークやユーザ側の装置の不具合などによって、一時的に情報を引き渡せない場合もある。
【０００８】
さらに、ログとして記録される情報は、大量のデータとなっている場合が多い。そのため、取得には長い時間を要し、ネットワーク資源にも負荷をかけることになる。周辺機器では、複数のユーザからのジョブを受付けることが可能なので、これら複数のユーザがログ取得を行なおうとすれば、周辺機器やネットワークの負担は倍加する。
【０００９】
さらに、周辺機器が保持できるログの容量も有限であり、周辺機器内で実行されたジョブすべての情報を記録しておくことはできない。
【００１０】
通常、一定量のログが記録されると、最も古いログが消去され、新たなログが書き込まれていく。そのため、大量のジョブが一時に処理される場合などには、特定ジョブの処理結果を得ようとしても、ログの上書きが発生してしまい、必要な情報を取りこぼしてしまう可能性もある等の幾多の問題点があった。
【００１１】
本発明は、上記の問題点を解決するためになされたもので、本発明の目的は、所定のジョブ処理を要求する制御コマンドの受付に応じて、該ジョブの管理情報を記憶装置内に一時的に生成し、ジョブ処理を要求する制御コマンドより、周辺機器外で付与されたジョブ識別情報および機能設定情報を取り出し、ジョブの管理情報内に記録し、ジョブ処理を要求する制御コマンドに応じてジョブ処理を行ない、ジョブの開始から終了までの一連の処理状況をジョブ受付手段で生成されるジョブの管理情報内に管理し、ジョブ処理の完了に伴い、ジョブのログ情報を記憶装置内に生成し、ジョブ識別情報および機能設定情報、処理結果をログ情報内に記録し、周辺機器と接続可能な、ログ情報を外部で永続管理するサーバ装置を設定し、設定されたサーバ装置にログ情報をアップロードし、ジョブ管理を要求する制御コマンドに基づき、管理情報あるいはログ情報より指定のジョブ識別情報を探索し、管理情報より指定のジョブ識別情報を探索できた場合に、該当するジョブの機能設定情報および処理状況を取得して、ジョブ探索要求元に返信し、ログ情報より指定のジョブ識別情報を探索できた場合に、該当するジョブの機能設定情報および処理結果を取得して、ジョブ探索要求元に返信し、管理情報およびログ情報いずれからも指定のジョブ識別情報を探索できなかった場合に、サーバ装置に対して指定のジョブ識別情報に基づくログ情報の取得を要求し、該当するジョブの機能設定情報および処理結果を取得して、ジョブ探索要求元に返信することにより、システム資源に負荷をかけることなく、また、ネットワーク上のトラフィック負担を強いることなく、ユーザが周辺機器に依頼したジョブに関する情報が周辺機器の管理対象外となった後でも、ジョブの処理状況や処理結果を確実に把握可能なジョブ処理管理環境を自在に構築できる周辺機器を提供することである。
【００１２】
【課題を解決するための手段】
本発明に係る第１の発明は、外部から送信される制御コマンドを解析して所定のジョブ処理要求、ジョブ管理要求、ログ管理要求を処理する周辺機器であって、
前記所定のジョブ処理を要求する制御コマンドの受付に応じて、該ジョブの管理情報を記憶装置内に一時的に生成するジョブ受付手段（例えば図１に示す周辺機器ａ０１内のコントローラによるジョブ受付機能に相当）と、前記ジョブ処理を要求する制御コマンドより、前記周辺機器外で付与されたジョブ識別情報および機能設定情報を取り出し、前記ジョブ受付手段で生成される該ジョブの管理情報内に記録するジョブ属性設定手段（例えば図１に示す周辺機器ａ０１内のコントローラによるジョブ属性設定機能に相当）と、前記ジョブ処理を要求する制御コマンドに応じてジョブ処理を行ない、該ジョブの開始から終了までの一連の処理状況を前記ジョブ受付手段で生成される該ジョブの管理情報内に管理するジョブ管理手段（例えば図１に示す周辺機器ａ０１内のコントローラによるジョブ管理機能に相当）と、前記ジョブ処理の完了に伴い、該ジョブのログ情報を前記記憶装置内に生成し、該ジョブの前記ジョブ識別情報および機能設定情報、該ジョブの処理結果をログ情報内に記録するログ記録手段（例えば図１に示す周辺機器ａ０１内のコントローラによるログ記録機能に相当）と、前記周辺機器と接続可能な、前記ログ情報を外部で永続管理するサーバ装置を設定するサーバ設定手段（例えば図１に示す周辺機器ａ０１内のコントローラによるサーバ設定機能に相当）と、前記サーバ設定手段で設定されたサーバ装置に、前記ログ情報をアップロードするアップロード手段（例えば図１に示す周辺機器ａ０１内のコントローラによるログアップロード機能に相当）と、前記ジョブ管理を要求する制御コマンドに基づき、前記管理情報あるいは前記ログ情報より指定のジョブ識別情報を探索する探索手段（例えば図１に示す周辺機器ａ０１内のコントローラによるジョブ探索機能に相当）と、前記探索手段において、前記管理情報より指定のジョブ識別情報を探索できた場合に、前記管理情報より該当するジョブの機能設定情報および処理状況を取得して、ジョブ探索要求元に返信する管理情報返信手段（例えば図１に示す周辺機器ａ０１内のコントローラによる管理情報返信機能に相当）と、前記探索手段において、前記ログ情報より指定のジョブ識別情報を探索できた場合に、前記ログ情報より該当するジョブの機能設定情報および処理結果を取得して、ジョブ探索要求元に返信するログ情報返信手段（例えば図１に示す周辺機器ａ０１内のコントローラによるログ情報返信機能に相当）と、前記探索手段において、前記管理情報および前記ログ情報いずれからも指定のジョブ識別情報を探索できなかった場合に、前記サーバ装置に対して指定のジョブ識別情報に基づくログ情報の取得を要求し、該当するジョブの機能設定情報および処理結果を取得して、ジョブ探索要求元に返信するサーバログ情報返信手段（例えば図１に示す周辺機器ａ０１内のコントローラによるサーバログ情報返信機能に相当）と、を有することを特徴とする。
【００１３】
【発明の実施の形態】
図１は、本発明の一実施形態を示す周辺機器を適用可能なデータ処理システムの一例を示す構成図である。
【００１４】
図１において、ａ０１は周辺機器で、例えばプリントやスキャン、コピー、ＦＡＸ送受信といったジョブ処理を行なう機器である。ａ０２〜ａ０４はＰＣ（パーソナルコンピュータ）で、ネットワークａ１０経由で周辺機器ａ０１と接続される。ａ０５はログ管理サーバであり、ネットワークａ１０経由で周辺機器ａ０１と接続されている。ログ管理サーバａ０５は、定期的に周辺機器ａ０１からログ情報を読み出し、ログ管理サーバ内の記憶装置内でログ情報を永続的に管理する。ログ管理サーバａ０５が複数の周辺機器ａ０１のログ情報を管理するよう構成してもよい。ネットワークａ１０による接続には、ＬＡＮやＷＡＮによる接続、ＩＥＥＥ１２８４／１３９４やＵＳＢなどによる接続が考えられる。
【００１５】
図１では、周辺機器ａ０１とＬＡＮを介して接続されたＰＣａ０２の例、同ＷＡＮを介して接続されたＰＣａ０３の例、同ＩＥＥＥ１２８４／１３９４やＵＳＢなどを介して接続されたＰＣａ０４の例を示している。また、周辺機器ａ０１と接続されるのは、ＰＣのほか、ワークステーションや他の周辺機器、その他の機器であってもよい。
【００１６】
周辺機器ａ０１内には、コントローラと呼ばれる制御ソフトウエアが動作しており、プリントやスキャン、コピー、ＦＡＸ送受信といったジョブ処理や、周辺機器ａ０１の属性情報の問い合わせを処理する。また、本発明によるジョブ受付機能、ジョブ属性設定機能、ジョブ管理機能、ログ記録機能、サーバ設定機能、ログアップロード機能、ジョブ探索機能、管理情報返信機能、ログ情報返信機能、サーバログ情報返信機能は、このコントローラの処理する機能である。
【００１７】
周辺機器ａ０１内もしくはＰＣａ０２〜ａ０４内で動作するジョブ発行ソフトウエアは、周辺機器ａ０１内のコントローラに対して、プリントやスキャン、コピー、もしくはＦＡＸ送受信といったジョブ処理を依頼する。また同様に、周辺機器ａ０１内もしくはＰＣａ０２〜ａ０４内で動作するジョブ監視ソフトウエアは、周辺機器ａ０１内のコントローラに依頼したジョブ処理の状況や結果の監視を行なう。なお、ジョブ発行ソフトウエアとジョブ監視ソフトウエアとを一体化し、一つのソフトウエアとして構成してもよい。
【００１８】
ログ管理サーバａ０５内で動作するログ管理ソフトウエアは、定期的に周辺機器ａ０１にアクセスし、周辺機器ａ０１内のログ情報を取得する。ネットワークａ１０内に複数の周辺機器ａ０１が接続されている場合、ログ管理ソフトウエアはこれら複数の周辺機器のログ情報を管理できるようになっている。また、周辺機器ａ０１より指定のジョブ識別情報に基づくログ情報の取得が要求された場合、ログ管理ソフトウエアは該当するジョブのログ情報を周辺機器ａ０１に返信する。あるいは、周辺機器ａ０１を経由させることなく、ジョブ探索を依頼したジョブ監視ソフトウエアの動作するＰＣａ０２〜ａ０４に、直接ログ情報を返信するよう構成してもよい。
【００１９】
図２は、図１に示した周辺機器ａ０１のハードウエア構成を示した概略図である。
【００２０】
図２において、周辺機器ａ０１では、ＣＰＵｂ０１、ＲＡＭｂ０２、ＲＯＭｂ０３、ＤＩＳＫｂ０４、ＬＣＤｂ０５、キーボードｂ０６、通信インタフェースｂ０７、スキャナエンジンｂ０８、プリンタエンジンｂ０９、ＦＡＸボードｂ１０が、システムバスｂ２０を介して相互に接続されている。
【００２１】
ＣＰＵｂ０１は、コントローラあるいはジョブ発行／監視ソフトウエアを実行する主体であり、周辺機器ａ０１を構成する各ユニットｂ０２〜ｂ１０は、特に断らない限り、ＣＰＵｂ０１によって制御される。コントローラあるいはジョブ発行／監視ソフトウエアのプログラムは、ＲＯＭｂ０３もしくはＤＩＳＫｂ０４に記憶されており、必要に応じてＲＡＭｂ０２に読み出され、ＣＰＵｂ０１が実行する。
【００２２】
また、これらのプログラムは、ＬＣＤｂ０５を通じて情報を表示する、キーボードｂ０６からユーザの指示を受ける、通信インタフェースｂ０７を通じて外部と通信する、といった処理を行なう。
【００２３】
ＲＯＭｂ０３、ＤＩＳＫｂ０４には、コントローラやジョブ発行／監視ソフトウエアのプログラム以外に、周辺機器ａ０１の能力を示す属性情報、当該周辺機器ａ０１で処理されるジョブの能力を示す属性情報を記憶している。
【００２４】
また、ＲＡＭｂ０２、ＤＩＳＫｂ０４には、周辺機器ａ０１の状態を示す属性情報、当該周辺機器ａ０１のログ情報を管理するログ管理サーバａ０５を示す属性情報、当該周辺機器ａ０１で処理されるジョブの状態を示す属性情報、ジョブ処理に伴って指定された機能を示す属性情報、処理対象となるジョブデータ、処理完了したジョブのログ情報を記憶管理している。
【００２５】
さらに、ＲＡＭｂ０２には、ジョブの実行順序や、ジョブの属性情報および処理対象となるジョブデータを管理するジョブキューを記憶している。
【００２６】
通信インタフェースｂ０７は、例えばイーサネット（登録商標）やＩＥＥＥ１２８４によるインタフェース、もしくはその他の媒体による通信インタフェースが考えられる。
【００２７】
スキャナエンジンｂ０８、プリンタエンジンｂ０９、ＦＡＸボードｂ１０は、コントローラによって制御され、スキャンジョブ処理、プリントジョブ処理、ＦＡＸ送受信処理を行なう。
【００２８】
以上のような構成を有する周辺機器ａ０１は、スキャナエンジンｂ０８によりスキャンジョブ処理を、プリンタエンジンｂ０９によりプリントジョブ処理を、スキャナエンジンｂ０８とプリンタエンジンｂ０９によりコピージョブ処理を、スキャナエンジンｂ０８とプリンタエンジンｂ０９とＦＡＸボードｂ１０によりＦＡＸ受信ジョブ処理及びＦＡＸ送信ジョブ処理を可能にする。
【００２９】
図３は、図１に示したＰＣａ０２〜ａ０４およびログ管理サーバａ０５のハードウエア構成を示した概略図である。
【００３０】
図３において、ＰＣａ０２〜ａ０４およびログ管理サーバａ０５では、ＣＰＵｃ０１、ＲＡＭｃ０２、ＲＯＭｃ０３、ＤＩＳＫｃ０４、ＣＲＴｃ０５、キーボードｃ０６、ポインティングデバイスｃ０７、通信インタフェースｃ０８が、システムバスｃ２０を介して相互に接続されている。
【００３１】
ＣＰＵｃ０１は、ＰＣａ０２〜ａ０４およびログ管理サーバａ０５を制御するオペレーションシステム（以下ＯＳ）あるいはジョブ発行／監視ソフトウエア、ログ管理ソフトウエアを実行する主体であり、ＰＣａ０２〜ａ０４およびログ管理サーバａ０５を構成する各ユニットｃ０２〜ｃ０８は、特に断らない限り、ＣＰＵｃ０１によって制御される。ＯＳあるいはジョブ発行／監視ソフトウエア、ログ管理ソフトウエアのプログラムは、ＲＯＭｃ０３もしくはＤＩＳＫｃ０４に記憶されており、必要に応じてＲＡＭｃ０２に読み出され、ＣＰＵｃ０１によって実行される。
【００３２】
また、これらのプログラムは、ＣＲＴｃ０５を通じて情報を表示する、キーボードｃ０６およびポインティングデバイスｃ０７からユーザの指示を受ける、通信インタフェースｃ０８を通じて外部と通信する、といった処理を行なう。
【００３３】
ログ管理サーバａ０５のＤＩＳＫｃ０４には、周辺機器ａ０１から取得したログ情報が記録されている。ログ管理ソフトウエアが複数の周辺機器ａ０１を管理している場合は、その管理している周辺機器ごとにログ情報も管理されている。
【００３４】
図４は、本発明に係る情報処理装置におけるジョブ処理を指示するコマンド群（ジョブ実行依頼コマンド）の一例を示す図である。
【００３５】
本コマンド群は、後述する図１１に示す処理フローによって生成され、ジョブ発行ソフトウエアから周辺機器ａ０１内のコントローラに送付される。ジョブ発行ソフトウエアが周辺機器ａ０１内で動作する場合、同じくＰＣａ０２〜ａ０４で動作する場合、いずれも本発明の適用範囲である。また、これらのコマンド群は、周辺機器ａ０１内で図６および図８の処理フローによって処理される。
【００３６】
図４において、ジョブ処理を指示するコマンド群は、ジョブ投入開始コマンドｄ０１、ジョブ属性設定コマンドｄ０２、ジョブデータ送信コマンドｄ０３、ジョブ投入完了コマンドｄ０４により構成される。
【００３７】
ジョブ投入開始コマンドｄ０１は、コントローラにジョブ投入の開始を通知するコマンドである。コントローラは、ジョブ投入開始コマンドｄ０１の受け取りにより、ジョブ処理を行なうための準備を開始する。
【００３８】
ジョブ属性設定コマンドｄ０２は、ジョブを識別するための情報や、ジョブの機能を決定付けるジョブ属性ｄ１１〜ｄ１ｎを設定するためのコマンドである。本コマンドでは複数のジョブ属性を連続して設定することができる。図４では、ジョブ属性として、ジョブ名ｄ１１、ジョブ識別情報ｄ１２、データ形式ｄ１３を挙げているが、この他にも、ジョブ種別、用紙選択、コピー部数などといった情報がある。
【００３９】
ジョブデータ送信コマンドｄ０３は、画像データなどジョブ処理の対象となるデータを送信するコマンドである。ただし、ジョブの内容によっては、処理対象となるデータを必要としない場合もあるので、その場合は本コマンドを省略してもよい。
【００４０】
ジョブ投入完了コマンドｄ０４は、ジョブ処理を指示するコマンド群がすべて送付されたことを示すためのコマンドである。
【００４１】
なお、ジョブ投入開始コマンドｄ０１からジョブ投入完了コマンドｄ０４までの一連のコマンド群が１つのジョブ実行依頼コマンドとして解釈される。
【００４２】
図５は、図１に示した周辺機器ａ０１のＲＡＭｂ０２内に確保されるジョブの管理情報（以下ジョブキュー）の一例を示す図である。
【００４３】
図５において、ｅ０１〜ｅ０ｎの各レコードは、周辺機器内で処理中のジョブそれぞれに対応しており、周辺機器ａ０１がジョブ投入開始コマンドｄ０１を受け取った際、図８に示す処理フローにより周辺機器ａ０１のＲＡＭｂ０２内にジョブキューの１レコードが追加される。また、ジョブ処理が完了すると、ジョブキュー内の対応するレコードは消去される。
【００４４】
ジョブキューの１レコードには、ジョブ属性エントリｅ０４とジョブデータエントリｅ０５が含まれている。
【００４５】
ジョブ属性エントリｅ０４は、そのジョブに関するさまざまな属性の実体を保持するテーブルへのエントリである。このテーブルには、ジョブ発行ソフトウエアがジョブ属性設定コマンドｄ０２によって指示したジョブ属性（ｅ１１〜ｅ１ｎ）や、ジョブ処理に伴って変化していくジョブ属性（ｅ２１〜ｅ２ｎ）が記憶されている。図中、前者の例としてジョブ名ｅ１１、ジョブ識別情報ｅ１２、データ形式ｅ１３を、後者の例としてジョブの処理状況ｅ２１、ジョブの投入時間ｅ２２、ジョブ処理の開始時間ｅ２３をあげているが、この他にもさまざまなジョブ属性が考えられる。なお、テーブル内のジョブ属性の実体は、周辺機器ａ０１のＲＡＭｂ０２に記憶するようにしてもよいし、ＤＩＳＫｂ０４に記憶するようにしてもよい。あるいは、ジョブ属性エントリｅ０４内にジョブ属性の実体を記憶しておき、アクセスしやすいように構成してもよい。
【００４６】
ジョブデータエントリｅ０５は、ジョブ発行ソフトウエアがジョブデータ送信コマンドにより送ったジョブデータｅ３１の記憶領域へのエントリである。なお、ジョブデータｅ３１の記憶領域は、周辺機器ａ０１のＲＡＭｂ０２に持ってもよいし、ＤＩＳＫｂ０４に持つようにしてもよい。
【００４７】
図６は、本発明に係る周辺機器における第１のデータ処理手順の一例を示すフローチャートであり、図１に示した周辺機器ａ０１内で処理されるコマンドの処理手順に対応する。なお、これらのコマンドはジョブ発行／監視ソフトウエアおよびログ管理ソフトウエアが発行するものであり、本処理フローは周辺機器ａ０１内のコントローラが処理する。また、（１）〜（１４）は各ステップを示す。
【００４８】
まず、ステップ（１）では、受信したコマンド及びそのパラメータの解析を行い、受信コマンドが属性アクセスコマンドであると判断された場合は、ステップ（４）以降へ進み、詳細は後述する属性アクセスコマンド処理を実行して（５）、返信コマンドを送信して（１４）、処理を終了する。
【００４９】
一方、ステップ（１）の解析により、受信コマンドがジョブ実行依頼コマンドであると判断された場合は、ステップ（６）以降へ進み、詳細は後述するジョブ実行依頼コマンド処理を実行して（７）、返信コマンドを送信して（１４）、処理を終了する。
【００５０】
一方、ステップ（１）の解析により、受信コマンドがジョブ一覧取得コマンドであると判断された場合は、ステップ（８）以降へ進み、詳細は後述するジョブ一覧取得コマンド処理を実行して（９）、返信コマンドを送信して（１４）、処理を終了する。
【００５１】
一方、ステップ（１）の解析により、受信コマンドがジョブ探索コマンドであると判断された場合は、ステップ（１０）以降へ進み、詳細は後述するジョブ探索コマンド処理を実行して（１１）、返信コマンドを送信して（１４）、処理を終了する。
【００５２】
一方、ステップ（１）の解析により、受信コマンドがログ取得コマンドであると判断された場合は、ステップ（１２）以降へ進み、詳細は後述するログ取得コマンド処理を実行して（１３）、返信コマンドを送信して（１４）、処理を終了する。
【００５３】
一方、ステップ（１）の解析により、受信コマンドが上記コマンド以外の他のコマンドであると判断された場合は、ステップ（２）以降へ進み、その他のコマンド処理を実行して（３）、返信コマンドを送信して（１４）、処理を終了する。その他のコマンド処理については、本発明と直接関わるものではないので、ここでは詳述しない。
【００５４】
図７は、本発明に係る周辺機器における第２のデータ処理手順の一例を示すフローチャートであり、図１に示した周辺機器ａ０１内で処理される属性アクセスコマンドの処理手順に対応する。本処理手順は、図６に示したステップ（５）を詳細に説明するものであり、周辺機器ａ０１内のコントローラが処理する。なお、（２１）〜（２８）は各ステップを示す。
【００５５】
ステップ（２１）以降の各ステップは、図６に示したステップ（１）の解析の結果、受信コマンドが属性アクセスコマンドであると判断された場合の処理であり、まず、ステップ（２１）では、図６に示したステップ（１）と同様に、コマンド及びそのパラメータを解析して、受け取ったコマンドが属性取得コマンドであるか、それとも属性変更コマンドであるかを判断する。受信コマンドがジョブ実行依頼コマンドであると判断された場合（２２）、ステップ（２３）で、指定された属性が取得可能なものであるかを判断して、指定された属性が取得可能なものであると判断した場合は、ステップ（２４）へと進み、指定された属性が取得可能なものでないと判断した場合は、ステップ（２５）へと進む。
【００５６】
そして、ステップ（２４）では、指定された属性に応じて、周辺機器ａ０１のＲＡＭｂ０２、ＲＯＭｂ０３、ＤＩＳＫｂ０４を適宜アクセスし、指定された属性値を取得する。ここで取得できる属性には、周辺機器ａ０１の能力を示す属性情報、当該周辺機器ａ０１で処理されるジョブの能力を示す属性情報、周辺機器ａ０１の状態を示す属性情報、当該周辺機器ａ０１で処理されるジョブの状態を示す属性情報、ジョブ処理に伴って指定された機能を示す属性情報などが含まれる。また、図５に示したジョブ識別情報ｅ１２やジョブの処理状況ｅ２１、図１３に示す周辺機器の状態ｈ０１やログ管理サーバ情報ｈ０２も取得可能な属性として含まれていることは言うまでもない。その後、取得した属性値を設定した返信コマンドを生成し、本処理フローを終了する。
【００５７】
一方、ステップ（２１）の解析の結果、受信コマンドが属性変更コマンドであると判断された場合（２６）、ステップ（２７）で、指定された属性が変更可能なもの（ジョブ名ｅ１１、ログ管理サーバ情報ｈ０２など）であるかを判断して、指定された属性が変更可能なものであると判断した場合は、ステップ（２８）へと進み、指定された属性が変更可能なものでないと判断した場合は、ステップ（２５）へと進む。
【００５８】
そして、ステップ（２８）では、指定された属性に応じて、周辺機器ａ０１のＲＡＭｂ０２、ＤＩＳＫｂ０４を適宜アクセスし、指定された属性値に変更する。ここで変更できる属性には、図５で説明したさまざまなジョブ属性のうち変更が可能なもの（ジョブ名ｅ１１など）や、図１３で説明するさまざまな管理用属性のうち変更が可能なもの（ログ管理サーバ情報ｈ０２など）が含まれていることは言うまでもない。その後、変更結果を設定した返信コマンドを生成し、本処理フローを終了する。
【００５９】
一方、ステップ（２５）は、指定された属性が取得不可能、あるいは変更不可能なものであった場合のエラー処理を行なう。ここでは、エラーを示す返信コマンドを生成し、本処理フローを終了する。
【００６０】
本処理フロー終了後は、図６に示したステップ（１４）へと進み、返信コマンドを送信する。以上で、周辺機器ａ０１におけるコマンド処理フローが完了する。
【００６１】
図８は、本発明に係る周辺機器における第３のデータ処理手順の一例を示すフローチャートであり、図１に示した周辺機器ａ０１内で処理されるジョブ実行依頼コマンドの処理フローに対応する。本処理フローは、図６に示したステップ（７）の詳細手順に対応するものであり、周辺機器ａ０１内のコントローラが処理する。なお、（３１）〜（４７）は各ステップを示す。
【００６２】
ここでジョブ実行依頼コマンドは、ジョブ投入開始コマンドｄ０１、ジョブ属性設定コマンドｄ０２、ジョブデータ送信コマンドｄ０３、ジョブ投入完了コマンドｄ０４という複数のコマンド群によって構成されており、それぞれのコマンドについて処理が行なわれる。
【００６３】
まず、ステップ（３１）では、最初のコマンド及びそのパラメータを取り出して、その解析を行なう。そして、ステップ（３２）では、ステップ（３１）で取り出したコマンドがジョブ投入開始コマンドｄ０１であるかどうかを判断して、該コマンドがジョブ投入開始コマンドｄ０１であると判断した場合は、ステップ（３３）へと進み、該コマンドがジョブ投入開始コマンドｄ０１でないと判断した場合は、ステップ（４７）へと進む。
【００６４】
そして、ステップ（３３）では、ジョブ投入開始コマンドｄ０１に関する処理を行なう。ここでは、新たなジョブ用にジョブキューのレコードを追加し、ジョブ属性エントリｅ０４やジョブデータエントリｅ０５、ジョブ属性の実体を格納するテーブルなどの初期化処理などを行なう。
【００６５】
次に、ステップ（３４）では、ジョブ投入開始コマンドｄ０１に続く次のコマンドおよびそのパラメータを取り出し、その解析を行なう。なお、ジョブ投入開始コマンドｄ０１に続くコマンドは、１個以上のジョブ属性設定コマンドｄ０２でなければならない。
【００６６】
そして、ステップ（３５）では、ステップ（３４）で取り出したコマンドが１個以上のジョブ属性設定コマンドｄ０２であるかどうかを判断して、コマンドがジョブ属性設定コマンドｄ０２であると判断した場合は、ステップ（３６）へと進み、コマンドがジョブ属性設定コマンドｄ０２でないと判断した場合は、ステップ（４７）へと進む。
【００６７】
なお、ステップ（３６）からステップ（３８）までは、受け取った複数個のジョブ属性設定コマンドｄ０２それぞれについて処理を繰り返し行なう。
【００６８】
ここで、ステップ（３６）は、上記繰り返し処理の開始を示し、ステップ（３７）では、ジョブ属性設定コマンドｄ０２に関する処理を行なう。ここでは、指定された属性を周辺機器ａ０１のＲＡＭｂ０２あるいはＤＩＳＫｂ０４内のジョブ属性テーブルに記憶する。このジョブ属性テーブルは、ジョブに対応するジョブキューの属性エントリｅ０４から参照される。また、指定された属性値にしたがって、必要なジョブ機能を準備する。ここで記憶される属性には、ジョブ識別情報ｅ１２も含まれていることは言うまでもない。
【００６９】
次に、ステップ（３８）は、上記繰り返し処理の終了を示す。ここでは、さらにジョブ設定コマンドｄ０２があるかどうかをチェックし、さらにジョブ設定コマンドｄ０２があると判断した場合は、ステップ（３６）に戻り、ジョブ設定コマンドｄ０２がないと判断した場合は、ステップ（３９）へと進む。
【００７０】
そして、ステップ（３９）では、ジョブ属性設定コマンドｄ０２に続く次のコマンドおよびそのパラメータを取り出し、その解析を行なう。
【００７１】
なお、ジョブ属性設定コマンドｄ０２に続くコマンドは、ジョブデータ送信コマンドｄ０３でなければならない。
【００７２】
ただし、ジョブの種類に応じて、ジョブデータ送信を省略してもよい。その場合、ジョブ属性設定コマンドｄ０２の後、ジョブ投入完了コマンドｄ０４が続く。
【００７３】
次に、ステップ（４０）では、ステップ（３９）で取り出したコマンドがジョブデータ送信コマンドｄ０３であるかどうかを判断して、コマンドがジョブデータ送信コマンドｄ０３であると判断した場合は、ステップ（４１）へと進み、コマンドがジョブデータ送信コマンドｄ０３でないと判断した場合は、ステップ（４３）へと進む。
【００７４】
そして、ステップ（４１）では、ジョブデータ送信コマンドｄ０３に関する処理を行なう。ここでは、送信されたジョブデータを周辺機器ａ０１のＲＡＭｂ０２あるいはＤＩＳＫｂ０４内の記憶領域に記憶する。この記憶領域は、ジョブに対応するジョブキューのジョブデータエントリｅ０５から参照される。また、指定されたジョブデータにしたがって、必要なジョブの機能を準備する。
【００７５】
次に、ステップ（４２）では、ジョブデータ送信コマンドｄ０３に続く次のコマンドおよびそのパラメータを取り出し、その解析を行なう。
【００７６】
そして、ステップ（４３）では、ステップ（３９）あるいはステップ（４２）で取り出したコマンドがジョブ投入完了コマンドｄ０４であるかどうかを判断して、コマンドがジョブ投入完了コマンドｄ０４であると判断した場合は、ステップ（４４）へと進み、コマンドがジョブ投入完了コマンドｄ０４でないと判断した場合は、ステップ（４７）へと進む。
【００７７】
そして、ステップ（４４）では、ジョブ投入完了コマンドｄ０４に関する処理を行なう。ここでは、指定されたジョブ機能やジョブデータにしたがって、周辺機器ａ０１内でジョブ実行に必要な各種の資源を確保し、実行順序の決定などジョブ処理を行なうための準備を行なう。
【００７８】
なお、ジョブ処理を行なうための準備については、処理を効率よく進めるため、必要な資源が決定できた段階（ステップ（３６）以降）で逐次行なうように構成してもよい。
【００７９】
次に、ステップ（４５）では、指定されたジョブ機能やジョブデータにしたがって、周辺機器ａ０１内でジョブ実行処理を行なう。
【００８０】
なお、ジョブのスケジューリングに関する属性指定や、ジョブキューにおける他のジョブの待ち状態によっては、本ステップがすぐに処理されず、実行可能な段階になってから処理される場合もある。あるいは、処理を効率よく進めるため、必要な資源が確保できた段階（ステップ（３６）以降）で、本ステップを先行して行なうように構成してもよい。
【００８１】
次に、ステップ（４６）では、ジョブ完了処理後のさまざまな後処理を行なう。まず、ジョブ処理に利用した各種の資源を解放する。その後、ジョブの終了結果や、ジョブを特定するために必要な属性値などが、周辺機器ａ０１のＲＡＭｂ０２あるいはＤＩＳＫｂ０４内に設けられたログ情報として記録される。ここで記録される情報には、図１６に示すログ情報で説明するジョブ識別情報２１６やジョブの処理結果２１４も含まれていることは言うまでもない。さらに、完了したジョブに対応するジョブキューのレコードが削除され、ジョブ属性エントリｅ０４やジョブデータエントリｅ０５、ジョブ属性の実体を格納するテーブル、ジョブデータの記憶領域などの解放処理を行なう。これらの処理を行なった後、本処理フローを終了する。
【００８２】
ステップ（４７）では、コマンドが正しい順序で送られなかった場合のエラー処理を行なう。
【００８３】
この場合、エラーを示す返信コマンドを生成し、ジョブ処理を行なわずに本処理フローを終了する。なお、正しいコマンドが得られるまで、以降のコマンド受信をスキップするよう構成してもよい。
【００８４】
なお、ステップ（３３）以降、それぞれの処理にしたがってジョブの処理状態が変化していくが、それにしたがって、ジョブキューのジョブ属性テーブル内に記憶されているジョブの処理状況ｅ２１、ジョブの投入時間ｅ２２、ジョブ処理の開始時間ｅ２３などが逐次更新されていくことは言うまでもない。
【００８５】
本処理フロー終了後は、図６に示したステップ（１４）へと進み、返信コマンドを送信する。以上で、周辺機器ａ０１におけるコマンド処理フローが完了する。
【００８６】
図９は、本発明に係る周辺機器における第４のデータ処理手順の一例を示すフローチャートであり、図１に示した周辺機器ａ０１内で処理されるジョブ一覧取得コマンドの処理フローに対応する。本処理フローは、図６に示したステップ（９）を詳細に説明するものであり、周辺機器ａ０１内のコントローラが処理する。なお、（５１）〜（５３）は各ステップを示す。また、ステップ（５１）からステップ（５３）までは、周辺機器ａ０１のＲＡＭｂ０２内のジョブキューにおいて、実行中あるいは実行待ち状態のジョブすべてについて処理を繰り返し行なうものとする。
【００８７】
まず、ステップ（５１）は、上記繰り返し処理の開始を示す。
【００８８】
次に、ステップ（５２）では、ジョブ一覧取得コマンドで指定されたジョブ属性の取得処理を行なう。ここでは、ジョブキュー内の実行中あるいは実行待ちのジョブに関するレコードにアクセスし、指定されたジョブ属性の値をジョブ属性データエントリｅ０４を通じて取り出し、返信コマンドに設定する。ここで取得できる属性には、ジョブ識別情報ｅ１２やジョブの処理状況ｅ２１も含まれていることは言うまでもない。
【００８９】
なお、ジョブ一覧取得コマンドでは、複数の属性を取得できるよう構成してもよい。また、指定された属性が取得できないものであった場合は、図７の属性アクセスコマンド処理にて説明したように、エラーを示す返信コマンドを生成するよう構成してもよい。さらに、指定された複数の属性の中で一部の属性のみが取得できないものであった場合は、その一部の属性のみを除き、属性値を取得できるよう構成してもよい。
【００９０】
次に、ステップ（５３）は、上記繰り返し処理の終了を示す。ここでは、ジョブキュー内に実行中あるいは実行待ちのジョブに対応するレコードがまだあるかどうかをチェックし、ジョブに対応するレコードがまだあると判断した場合は、ステップ（５１）に戻り、なければ本処理フローを終了する。
【００９１】
本処理フロー終了後は、図６のステップ（１４）へと進み、返信コマンドを送信する。以上で、周辺機器ａ０１におけるコマンド処理フローが完了する。
【００９２】
図１０は、本発明に係る周辺機器における第５のデータ処理手順の一例を示すフローチャートであり、図１に示した周辺機器ａ０１内で処理されるジョブ探索コマンドの処理フローに対応する。本処理フローは、図６に示したステップ（１１）を詳細に説明するものであり、周辺機器ａ０１内のコントローラが処理する。なお、（６１）〜（６７）は各ステップを示す。
【００９３】
まず、ステップ（６１）では、ジョブ探索コマンドで指定されたジョブ識別情報が設定されているジョブを、周辺機器ａ０１内のジョブキューより探索する。コントローラは、ジョブキュー内の実行中あるいは実行待ちのジョブに関するジョブキューの各レコードをアクセスし、ジョブ属性エントリｅ０４を通じてジョブ識別情報ｅ１２を取得する。
【００９４】
次に、ステップ（６２）では、ステップ（６１）で取得したジョブ識別情報ｅ１２と、コマンドで指定されたジョブ識別情報と一致するものがあるかどうかをチェックして、一致したものがあると判断した場合はステップ（６３）へと進み、一致したものがないと判断した場合はステップ（６４）へと進む。
【００９５】
そして、ステップ（６３）では、指定されたジョブ識別情報を持つジョブが、まだ周辺機器ａ０１のジョブキュー内に管理されている旨と、およびそのジョブの処理状況（ジョブ属性ｅ２１）を返信コマンドに設定し、本処理フローを終了する。
【００９６】
一方、ステップ（６４）では、ジョブ探索コマンドで指定されたジョブ識別情報が設定されているジョブを、周辺機器ａ０１内のログ情報より探索する。コントローラは、ログ情報の全レコードをアクセスし、図１６に示す情報テーブル２０４を通じてジョブ識別情報２１６を取得する。
【００９７】
次に、ステップ（６５）では、ステップ（６４）で取得したジョブ識別情報２１６と、コマンドで指定されたジョブ識別情報と一致するものがあるかどうかをチェックして、一致したものがあると判断した場合は、ステップ（６６）へと進み、一致したものがないと判断した場合は、ステップ（６７）へと進む。
【００９８】
そして、ステップ（６６）では、指定されたジョブ識別情報を持つジョブが、ログ情報内で見つかった旨と、ログ情報のレコード番号、およびそのジョブの処理結果２１４を返信コマンドに設定し、本処理フローを終了する。
【００９９】
一方、ステップ（６７）では、図１３に示す属性情報テーブル内のログ管理サーバ情報ｈ０２に設定されたログ管理サーバａ０５に対して、ジョブ探索を依頼し、その結果を返信コマンドに設定して、本処理を終了する。このジョブ探索を依頼するコマンドには、周辺機器ａ０１自身を示す情報と、ジョブ探索コマンドで指定されたジョブ識別情報が指定されている。指定されたジョブ識別情報をもつジョブのログ情報が、ログ管理サーバａ０５内で見つかれば、ログ管理サーバａ０５内でジョブが見つかった旨と、その処理結果２１４を返信コマンドに設定する。一方、指定されたジョブ識別情報をもつジョブのログ情報が、ログ管理サーバａ０５内で見つからなければ、その旨を示すエラー情報を返信コマンドに設定する。
【０１００】
本処理フロー終了後は、図６に示したステップ（１４）へと進み、返信コマンドを送信する。以上で、周辺機器ａ０１におけるコマンド処理フローが完了する。
【０１０１】
なお、ステップ（６７）において、ジョブ探索依頼の際、ジョブ探索コマンドの結果を待っているＰＣａ０２〜ａ０４に関する情報を含めるよう構成し、ジョブ探索コマンドの返信をログ管理サーバａ０５を通じてＰＣａ０２〜ａ０４に直接送るようにしてもよい。この場合、図６に示したステップ（１４）での返信コマンドに該当する処理がログ管理サーバによって行なわれる。
【０１０２】
図１１は、本発明に係る周辺機器における第６のデータ処理手順の一例を示すフローチャートであり、図１に示した周辺機器ａ０１内で処理されるログ取得コマンドの処理フローに対応する。また、本処理フローは、図６に示したステップ（１３）の詳細手順であり、周辺機器ａ０１内のコントローラが処理する。なお、（８１）〜（８３）は各ステップを示し、ステップ（８１）〜（８３）は、ログ取得コマンドによって指定された複数のレコードすべてについて処理を繰り返し行なう。
【０１０３】
まず、ステップ（８１）は、上記繰り返し処理の開始を示す。
【０１０４】
次に、ステップ（８２）で、ログ取得コマンドでレコードの取得処理を行なう。ここでは、周辺機器ａ０１内のＲＡＭ  ｂ０２あるいはＤＩＳＫｂ０４に記録されたログ情報にアクセスし、指定されたレコードを取り出して返信コマンドに設定する。
【０１０５】
そして、ステップ（８３）は、上記繰り返し処理の終了を示す。ここでは、指定されたレコードがまだあるかどうかをチェックし、あればステップ（８１）に戻り、なければ本処理フローを終了する。
【０１０６】
本処理フロー終了後は、図６に示したステップ（１４）へと進み、返信コマンドを送信する。以上で、周辺機器ａ０１におけるコマンド処理フローが完了する。
【０１０７】
図１２は、本発明に係る情報処理装置における第１のデータ処理手順の一例を示すフローチャートであり、図１に示した周辺機器ａ０１あるいはＰＣａ０２からＰＣａ０４内で処理されるジョブ投入の処理フローに対応する。ジョブ投入の処理は、ジョブ発行ソフトウエアによって行なわれ、本処理フローはジョブ発行ソフトウエアが処理する。ジョブ発行ソフトウエアが周辺機器ａ０１内で動作する場合、同じくＰＣａ０２〜ａ０４で動作する場合、いずれも本発明の適用範囲である。なお、（７１）〜（７９）は各ステップを示す。
【０１０８】
まず、ステップ（７１）では、ジョブ投入開始コマンドに指定可能なモードや、ジョブ属性設定コマンドに指定可能なジョブ属性など、周辺機器ａ０１のジョブ処理能力に関する情報を取得する。ここで、能力情報の取得は、周辺機器ａ０１に対して、属性取得コマンドを送付することで行なう。なお、ジョブ発行処理を行なうたびごとにすべての能力情報を取得するのではなく、ジョブ発行ソフトウエアの起動時などに何らかの手段によってあらかじめ能力情報を得ておくようにし、本ステップでは機器の能力に変更がないかなど最低限の確認を行なうように構成してもよい。
【０１０９】
次に、ステップ（７２）では、ステップ（７１）で得られた能力情報をユーザに提示し、ジョブ投入に必要なモードや機能などをユーザに設定させる。ここで設定する機能には、ジョブの名称、実行優先度、用紙選択、コピー部数などがあり、それぞれジョブ属性に対応している。また、ジョブ投入コマンドのパラメータがあれば、それもここで設定することができる。
【０１１０】
また、ステップ（７３）では、図４に示したジョブ識別情報を生成する。この情報は、周辺機器ａ０１に対してジョブ投入を依頼するユーザ側でジョブの識別を行なうために用いられるものであり、以降のステップ（７６）において、ジョブ属性（図５のｅ１２）として設定される。
【０１１１】
そして、ステップ（７４）では、ステップ（７２）で設定されたパラメータとともにジョブ投入開始コマンドを周辺機器ａ０１のコントローラに送付する。
【０１１２】
次に、ステップ（７５）からステップ（７７）までは、ユーザの所望するジョブ処理に必要な機能設定（属性設定）が完了するまで処理を繰り返し行なう。
【０１１３】
ここで、ステップ（７５）は、上記繰り返し処理の開始を示す。次に、ステップ（７６）では、ステップ（７２）で設定されたジョブ属性、およびステップ（７３）で生成されたジョブ識別情報を伴うジョブ属性設定コマンドを周辺機器ａ０１のコントローラに対して送信する。ステップ（７７）は、上記繰り返し処理の終了を示す。ここでは、設定するジョブ属性がまだあるかどうかをチェックし、設定するジョブ属性がまだあると判断した場合は、ステップ（７５）に戻り、設定するジョブ属性がないと判断した場合は、ステップ（７８）へと進む。
【０１１４】
そして、ステップ（７８）では、ジョブデータ送信コマンドにより、アプリケーションが作成した画像データなどジョブ処理の対象となるデータを周辺機器ａ０１のコントローラに送信する。
【０１１５】
ただし、ジョブの内容によっては、ジョブデータを必要としないので、その場合は本ステップを省略してもよい。
【０１１６】
そして、ステップ（７９）では、ジョブ実行を依頼するコマンド群の送信完了を示すジョブ投入完了コマンドを送信して、処理フローを終了する。
【０１１７】
上記処理フローにより、図４で示したコマンド群が周辺機器ａ０１のコントローラに送信される。
【０１１８】
図１３は、図１に示した周辺機器ａ０１で管理する属性情報テーブルの一例を示す図であり、図１に示した周辺機器ａ０１に関する能力や状態、管理用の設定といった属性情報を記憶している。
【０１１９】
なお、本情報テーブルは、周辺機器ａ０１のＲＡＭｂ０２、ＲＯＭｂ０３、ＤＩＳＫｂ０４に設けられており、属性取得コマンドや属性設定コマンドによってアクセスされる。
【０１２０】
ここでは、周辺機器の状態ｈ０１、ログ管理サーバ情報ｈ０２が例としてあげられているが、この他にも機器のユニット構成や利用可能なネットワークに関する情報など、さまざまな情報が保持されている。
【０１２１】
周辺機器の状態ｈ０１は、周辺機器ａ０１の動作状態を示す情報である。例えば、ジョブの受付可能、ジョブ受付不可、メンテナンス中、ドア・オープンや紙詰まり発生など、さまざまな機器の状態を表す。
【０１２２】
ログ管理サーバ情報ｈ０２は、この周辺機器ａ０１を管理しているログ管理サーバａ０５に関する情報であり、ログ管理サーバａ０５の所在（ネットワーク上のアドレス情報など）が記録されている。
【０１２３】
図１４は、本発明に係るサーバ装置における第１のデータ処理手順の一例を示すフローチャートであり、図１に示したログ管理サーバａ０５上で動作するログ管理ソフトウエアによる処理手順に対応する。なお、（５０１）はステップを示す。
【０１２４】
ステップ（５０１）で、上記ログ管理サーバ情報ｈ０２を周辺機器ａ０１のＲＡＭ等に設定して、処理を終了する。
【０１２５】
これにより、周辺機器ａ０１内のコントローラは、図１０に示した処理フローで示したジョブ探索コマンドの処理において、ログ管理サーバａ０５にジョブ探索を依頼する際、この情報を参照する。
【０１２６】
なお、ログ管理サーバ情報ｈ０２には、ログ管理サーバａ０５自身の所在（アドレス情報など）が指定されている。これにより、周辺機器ａ０１では、周辺機器ａ０１自身を管理するログ管理サーバａ０５の所在を知ることができる。
【０１２７】
なお、ログ管理サーバａ０５の登録処理は、ログ管理ソフトウエアの起動時などに、その管理対象となる周辺機器（複数も可）に対して一斉に行なわれる。また、ログ管理ソフトウエアの起動後も、新たな周辺機器の増設や、周辺機器の電源再投入などによって管理対象となる周辺機器の追加が検知できた場合にも、本処理フローが実行される。
【０１２８】
図１５は、図４に示したジョブ識別情報ｄ１２の内容の一例を示す図である。
【０１２９】
図１５において、ジョブ識別情報の内容は、ジョブ属性として記憶されるジョブ識別情報ｅ１２、ログ情報として記録されるジョブ識別情報２１６に該当し、また、属性設定コマンド、属性取得コマンド、ジョブ属性設定コマンド、ジョブ一覧取得コマンド、ジョブ探索コマンドのパラメータとしても利用される。
【０１３０】
ジョブ識別情報は、周辺機器ａ０１に対してジョブ投入を依頼するユーザ側でジョブの識別を行なうために用いられるものであり、ジョブ発行ソフトウエアが生成する。
【０１３１】
ここで、周辺機器ａ０１を利用するジョブ発行ソフトウエアには、複数種類に渡る可能性がある。また、その中の特定のジョブ発行ソフトウエアを利用するユーザも複数人数に渡る可能性がある。さらに、その特定ユーザの発行したジョブも複数個に渡る可能性がある。
【０１３２】
よって、周辺機器ａ０１を利用するシステム上において、ジョブを投入したジョブ発行ソフトウエアと、ジョブ投入を依頼したユーザ（あるいはユーザが利用するＰＣ）、および当該ジョブ発行ソフトウエアが投入したジョブ自身を特定、識別するための情報が必要である。
【０１３３】
ジョブ発行ソフトウエア固有の識別情報１０１は、ジョブ発行ソフトウエア自身を特定、識別する情報である。これは、ジョブ発行ソフトウエアの開発者によって決定される。他開発者によるジョブ発行ソフトウエアを識別するためには、ＩＰアドレスや時刻情報を用いて生成されるＵＵＩＤ（Ｕｎｉｖｅｒｓａｌ  Ｕｎｉｑｕｅ  ＩＤｅｎｔｉｆｉｅｒ）などの利用が考えられる。
【０１３４】
ユーザ固有の識別情報１０２は、ジョブ発行ソフトウエアを利用したユーザ自身を特定、識別する情報である。これは、ジョブ発行ソフトウエアの稼動するプラットフォームによって決定される。他ユーザとの識別のためには、システム内でユーザ１人１人を識別できるように割り当てたユーザＩＤの利用や、ジョブ発行ソフトウエアの稼動するプラットフォームのＩＰアドレスや時刻情報を用いて生成されるＵＵＩＤなどの利用が考えられる。
【０１３５】
ジョブ固有の識別情報１０３は、特定のジョブ発行ソフトウエア内で投入された複数のジョブを特定、識別する情報である。これは、ジョブ発行ソフトウエア自身によって決定される。他ジョブとの識別のためには、単純なシーケンシャル番号や、ジョブ発行を行なった時刻情報などの利用が考えられる。
【０１３６】
図１６は、図１に示した周辺機器ａ０１内で発生した特定のイベントの発生やそれに伴う情報を記録するログ情報の一例を示す図である。
【０１３７】
なお、本実施形態において、ログとは、周辺機器ａ０１内で発生した特定のイベントの発生やそれに伴う情報を記録するための仕組みである。特定のイベントとして、ジョブの完了、ジャムやエラーの発生などがあり、それらの発生ごとに１レコードを費やし、情報が記録される。なお、ここでは本発明に関連するジョブの完了に関するログについて説明する。
【０１３８】
図１６において、ログ情報のレコード１〜ｎ（２０１〜２０ｎ）は、周辺機器ａ０１内のＲＡＭｂ０２もしくはＤＩＳＫｂ０４内に用意された有限個の領域である。また、ログ管理サーバａ０５のＤＩＳＫｃ０４内にも、管理している周辺機器それぞれに対応して、ログ情報の記憶領域が確保されている。
【０１３９】
周辺機器ａ０１内でジョブ処理が完了すると、図８に示した処理フローにより、そのジョブに関する情報が１レコードに書き込まれる。レコードは有限個であるため、ある一定数のレコードが書き込まれると、最も古くに書き込まれたレコードに追記されていく。
【０１４０】
一方、ログ管理サーバａ０５では、図２０に示す処理フローにより、ログ管理ソフトウエアが一定の周期で周辺機器ａ０１のログを取得し、その取得した情報を１レコードごとに追記していく。ただし、ログ管理サーバａ０５のＤＩＳＫｃ０４に設けられたログ情報の領域は、周辺機器ａ０１に比べて充分に大きいものであり、レコードの上書きが発生することはほぼありえない。
【０１４１】
情報テーブル２０４は、ログ情報の１レコード内に記録された情報のテーブルである。ここでは記録される情報の一例として、ログの記録日時２１１、ジョブの投入時間２１２、ジョブ完了時間２１３、ジョブの処理結果２１４、ジョブ名２１５、ジョブ識別情報２１６をあげているが、その他にもジョブが使用した資源の量、ジョブ依頼者など、さまざまな情報の記録が考えられる。また、ジョブ名２１５、ジョブ識別情報２１６などは、図５の同名のジョブ属性であるジョブ名ｅ１１、ジョブ識別情報ｅ１２などが対応していることは言うまでもない。
【０１４２】
図１７は、本発明に係る情報処理装置における第２のデータ処理手順の一例を示すフローチャートであり、図１に示した周辺機器ａ０１あるいはＰＣａ０２からＰＣａ０４内で処理されるジョブ処理結果の確認処理フローに対応する。ジョブ処理結果の確認は、ジョブ監視ソフトウエアから行なわれ、本処理フローはジョブ監視ソフトウエアが処理する。ジョブ監視ソフトウエアが周辺機器ａ０１内で動作する場合、同じくＰＣａ０２〜ａ０４で動作する場合、いずれも本発明の適用範囲である。なお、（８０１）〜（８０５）は各ステップを示す。
【０１４３】
まず、ステップ（８０１）では、ジョブ監視の対象となる周辺機器ａ０１に対して、ジョブ一覧取得コマンドを送信する。このジョブ一覧取得コマンドには、ジョブ属性のジョブ識別情報ｅ１２を取得するよう指定されている。これにより、周辺機器ａ０１内で動作しているジョブとそのジョブ識別情報の一覧を得ることができる。
【０１４４】
なお、ジョブ発行ソフトウエアと連携し、ジョブ発行ソフトウエアが発行したジョブのジョブ識別情報を一覧として得るように構成してもよい。また、ジョブ一覧の取得の際、ジョブ名ｅ１１やジョブの処理状況ｅ２１などの属性をジョブ識別情報ｅ１２と共に取得するようにしてもよい。
【０１４５】
次に、ステップ（８０２）からステップ（８０４）までは、ステップ（８０１）で取得したジョブ識別情報それぞれについて処理を繰り返し行なう。なお、ステップ（８０２）は、上記繰り返し処理の開始を示す。
【０１４６】
そして、ステップ（８０３）では、ステップ（８０１）で取得したジョブ識別情報をパラメータ指定したジョブ探索コマンドを周辺機器ａ０１に送付する。周辺機器ａ０１は、図６および図１０で説明した処理フローに従い、ジョブ探索コマンドの結果を返す。ジョブ監視ソフトウエアは、その探索結果を保持し、各ジョブの処理結果や処理状況を記憶する。
【０１４７】
なお、ステップ（８０４）は、上記繰り返し処理の終了を示す。ここでは、ステップ（８０１）で取得したジョブ識別情報のうち、未確認のものがまだあるかどうかをチェックし、未確認のものがまだあると判断した場合はステップ（８０２）に戻り、未確認のものがもうないと判断した場合は、ステップ（８０５）へと進む。
【０１４８】
そして、ステップ（８０５）では、ステップ（８０３）で得られた各ジョブの処理結果、処理状況を図１８に示す形式で表示装置に画面表示する。この表示は、ジョブ監視ソフトウエアが周辺機器ａ０１内で動作するのであればＬＣＤｂ０５上に、ＰＣａ０２〜ａ０４内で動作するのであればＣＲＴｃ０５上にて行なわれる。これらの処理を行なった後、本処理フローを終了する。
【０１４９】
図１８は、本発明に係る情報処理装置におけるジョブの処理結果および処理状況を表示する画面の一例を示す図である。
【０１５０】
なお、本画面は、ジョブ監視ソフトウエアがジョブの処理結果、処理状況を表示する際に利用するものである。また、ジョブ監視ソフトウエアが周辺機器ａ０１内で動作する場合、同じくＰＣａ０２〜ａ０４で動作する場合、いずれも本発明の適用範囲である。
【０１５１】
本画面は、周辺機器ａ０１のＬＣＤｂ０５もしくはＰＣａ０２〜ａ０４のＣＲＴｃ０５に表示される。
【０１５２】
また、各種ユーザ入力（ボタンの押下、リストのスクロールなど）は、周辺機器ａ０１のキーボードｂ０６、もしくはＰＣ  ａ０２〜ａ０４のキーボードｃ０６およびポインティングデバイスｃ０７を通じて行なわれる。
【０１５３】
図１８において、４０１はタイトルで、当該画面の簡単な説明を表し、当該画面が「ジョブの処理状況／結果」を表示するためのものであることを示している。
【０１５４】
４０２はリストボックスで、ジョブ監視ソフトウエアが監視している周辺機器ａ０１が受付けたジョブのリストを表示したり、あるいは、当該ジョブ監視ソフトウエアと連携して動作するジョブ発行ソフトウエアが、周辺機器ａ０１に投入したすべてのジョブのリストを表示したりするように構成してもよい。４０３はＯＫボタンで、当該表示画面を消去し、他の処理画面に復帰するボタンである。
【０１５５】
ここでは、周辺機器ａ０１におけるジョブ番号（ジョブ１〜ジョブ７）、それぞれのジョブに設定されたジョブ名（図５に示したジョブ属性のジョブ名ｅ１１あるいは図１６に示したログ情報のジョブ名２１５）、ジョブの処理結果（完了「ＯＫ」、完了「ＮＧ」）あるいはジョブの処理状況（実行中、実行待ち）、ログ情報内で見つかったことを示すマーク（Ｌ）およびログ管理サーバ内で見つかったことを示すマーク（Ｓ）を表示している。
【０１５６】
この表示内容は、ジョブ監視ソフトウエアの要求仕様や、取得／設定可能なジョブ属性あるいはログ情報に合わせて、適宜調整してよい。取得／設定可能なジョブ属性あるいはログ情報は、周辺機器ａ０１の能力を示す属性から得ることができる。
【０１５７】
図１９は、本発明に係るサーバ装置における第２のデータ処理手順の一例を示すフローチャートであり、図１に示したログ管理サーバａ０５内で処理されるジョブ探索依頼の処理フローに対応する。なお、ジョブ探索依頼は、周辺機器ａ０１におけるジョブ探索コマンドの処理中、指定されたジョブ識別情報を持つジョブが見つからなかった場合にログ管理サーバａ０５に対して依頼される。本処理フローは、ログ管理サーバａ０５内のログ管理ソフトウエアが処理する。また、（６０１）〜（６０５）は各ステップを示す。
【０１５８】
まず、ステップ（６０１）では、ジョブ探索依頼で指定されたジョブ識別情報が設定されているジョブを、ログ管理サーバａ０２内のログ情報より探索する。このとき、ジョブ探索依頼で指定された周辺機器ａ０１に関するログ情報内が探索される。ログ管理ソフトウエアは、該当するログ情報の全レコードをアクセスし、情報テーブル２０４を通じてジョブ識別情報２１６を取得する。
【０１５９】
そして、ステップ（６０２）では、取得したジョブ識別情報２１６と、ジョブ探索依頼で指定されたジョブ識別情報と一致するものがあるかどうかをチェックする。一致したものがあればステップ（６０３）へと進み、なければステップ（６０４）へと進む。
【０１６０】
そして、ステップ（６０３）では、指定されたジョブ識別情報を持つジョブが、ログ管理サーバａ０５のログ情報内で見つかった旨と、ログ情報のレコード番号、およびそのジョブの処理結果２１５を返信として設定する。
【０１６１】
一方、ステップ（６０４）では、指定されたジョブ識別情報を持つジョブが見つからなかった旨を返信として設定する。
【０１６２】
そして、ステップ（６０５）では、ステップ（６０３）あるいはステップ（６０４）で設定された返信を、周辺機器ａ０１に対して送信し、本処理フローを終了する。
【０１６３】
なお、周辺機器ａ０１によるジョブ探索依頼の際、元々のジョブ探索コマンドを送信したＰＣａ０２〜ａ０４に関する情報も指定することで、ステップ（６０３）あるいはステップ（６０４）で設定した返信を、直接、ＰＣａ０２〜ａ０４に送付するよう構成してもよい。この場合、ジョブ探索依頼の返信は、ジョブ探索コマンドの返信コマンドと同等の形式となっており、ジョブ探索コマンドを送信したＰＣａ０２〜ａ０４は、ジョブ探索依頼の返信を、ジョブ探索コマンドの返信コマンドとして受け取ることができる。
【０１６４】
図２０は、本発明に係るサーバ装置における第３のデータ処理手順の一例を示すフローチャートであり、ログ取得処理フローに対応する。ログ取得は、ログ管理ソフトウエアから行なわれ、本処理フローはログ管理ソフトウエアが処理する。なお、（７０１），（７０２）は各ステップを示す。
【０１６５】
まず、ステップ（７０１）では、ログ管理の対象となる周辺機器ａ０１に対して、ログ取得コマンドを送信する。ログ取得コマンドでは、取得を所望するレコード番号（複数個）を指定することができ、対応する周辺機器ａ０１内の複数レコードが返される。
【０１６６】
そして、ステップ（７０２）では、取得したログ情報のレコードを、取得対象となった周辺機器ごとに分類し、ログ管理サーバａ０５内のＤＩＳＫｃ０４のログ情報内に記録して、本処理フローを終了する。
【０１６７】
なお、ログ取得処理は、一定時間ごと、一定数のレコードの記録ごとなど、さまざまなタイミングで行なわれることが考えられるが、ログ管理ソフトウエアが未取得のレコードについて上書きが発生しないタイミングで随時行なわれるよう構成すればよい。また、管理対象となる周辺機器が複数ある場合は、それぞれについてログの取得が行なわれ、各周辺機器ごとに設けられたログ情報の領域に記録が行なわれる。
【０１６８】
以下、図２１，図２２、図２３に示すメモリマップを参照して本発明に係る周辺機器、ログ管理サーバ装置、情報処理装置で読み出し可能なデータ処理プログラムの構成について説明する。
【０１６９】
図２１は、本発明に係る周辺機器ａ０１で読み出し可能な各種データ処理プログラムを格納する記憶媒体のメモリマップを説明する図である。一方、図２２は、本発明に係るログ管理サーバａ０５で読み出し可能な各種データ処理プログラムを格納する記憶媒体のメモリマップを説明する図である。さらに、図２３は、本発明に係るＰＣａ０２〜ａ０４で読み出し可能な各種データ処理プログラムを格納する記憶媒体のメモリマップを説明する図である。
【０１７０】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１７１】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１７２】
図２１においては、本実施形態における図６〜図１２および図１７に示す機能が、外部からインストールされるプログラムによって、周辺機器ａ０１内のＣＰＵｂ０１により遂行されていてもよい。また、図２２においては、本実施形態における図１４、図１９、図２０に示す機能が、外部からインストールされるプログラムによって、ログ管理サーバａ０５内のＣＰＵｃ０１により遂行されていてもよい。さらに、図２３においては、本実施形態における図１２、図１７に示す機能が、外部からインストールされるプログラムによって、ＰＣａ０２〜ａ０４内のＣＰＵｃ０１により遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１７３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１７４】
この場合、記憶媒体から読み出されたプログラムコード自体が本発明の新規な機能を実現することになり、そのプログラムコードを記憶した記憶媒体は本発明を構成することになる。
【０１７５】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１７６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１７７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１７８】
本発明は上記実施形態に限定されるものではなく、本発明の趣旨に基づき種々の変形が可能であり、それらを本発明の範囲から排除するものではない。
【０１７９】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜８について説明する。
【０１８０】
第１実施態様は、外部から送信される制御コマンドを解析して所定のジョブ処理要求、ジョブ管理要求、ログ管理要求を処理する周辺機器であって、
前記所定のジョブ処理を要求する制御コマンドの受付に応じて、該ジョブの管理情報を記憶装置内に一時的に生成するジョブ受付手段（周辺機器ａ０１内のコントローラによるジョブ受付機能に相当）と、
前記ジョブ処理を要求する制御コマンドより、前記周辺機器外で付与されたジョブ識別情報および機能設定情報を取り出し、前記ジョブ受付手段で生成される該ジョブの管理情報内に記録するジョブ属性設定手段（周辺機器ａ０１内のコントローラによるジョブ属性設定機能に相当）と、
前記ジョブ処理を要求する制御コマンドに応じてジョブ処理を行ない、該ジョブの開始から終了までの一連の処理状況を前記ジョブ受付手段で生成される該ジョブの管理情報内に管理するジョブ管理手段（周辺機器ａ０１内のコントローラによるジョブ管理機能に相当）と、
前記ジョブ処理の完了に伴い、該ジョブのログ情報を前記記憶装置内に生成し、該ジョブの前記ジョブ識別情報および機能設定情報、該ジョブの処理結果をログ情報内に記録するログ記録手段（周辺機器ａ０１内のコントローラによるログ記録機能に相当）と、
前記周辺機器と接続可能な、前記ログ情報を外部で永続管理するサーバ装置を設定するサーバ設定手段（周辺機器ａ０１内のコントローラによるサーバ設定機能に相当）と、
前記サーバ設定手段で設定されたサーバ装置に、前記ログ情報をアップロードするアップロード手段（周辺機器ａ０１内のコントローラによるログアップロード機能に相当）と、
前記ジョブ管理を要求する制御コマンドに基づき、前記管理情報あるいは前記ログ情報より指定のジョブ識別情報を探索する探索手段（周辺機器ａ０１内のコントローラによるジョブ探索機能に相当）と、
前記探索手段において、前記管理情報より指定のジョブ識別情報を探索できた場合に、前記管理情報より該当するジョブの機能設定情報および処理状況を取得して、ジョブ探索要求元に返信する管理情報返信手段（周辺機器ａ０１内のコントローラによる管理情報返信機能に相当）と、
前記探索手段において、前記ログ情報より指定のジョブ識別情報を探索できた場合に、前記ログ情報より該当するジョブの機能設定情報および処理結果を取得して、ジョブ探索要求元に返信するログ情報返信手段（周辺機器ａ０１内のコントローラによるログ情報返信機能に相当）と、
前記探索手段において、前記管理情報および前記ログ情報いずれからも指定のジョブ識別情報を探索できなかった場合に、前記サーバ装置に対して指定のジョブ識別情報に基づくログ情報の取得を要求し、該当するジョブの機能設定情報および処理結果を取得して、ジョブ探索要求元に返信するサーバログ情報返信手段（周辺機器ａ０１内のコントローラによるサーバログ情報返信機能に相当）と、
を有することを特徴とする。
【０１８１】
実施態様２は、前記ログ記録手段は、所定量のログ情報を管理し、最新のジョブ終了時、前記記憶装置に管理されているログ情報数が所定量に達していた場合は、もっとも古いログ情報の内容を最新のジョブに関するログ情報に更新することを特徴とする。
【０１８２】
実施態様３は、前記制御コマンドは、前記記憶装置に記録される情報を取得するための情報取得コマンド、前記記憶装置に記録される情報を設定する情報設定コマンド、ジョブ実行依頼を指示するジョブ実行依頼コマンド、前記記憶装置に記録されている複数個のジョブに関するジョブ管理情報を一覧表示するためのジョブ一覧コマンド、前記サーバからログ情報の取得を指示するログアップロードコマンド、前記記憶装置に記録されているジョブ管理情報およびログ情報を前記ジョブ識別情報をキーとして探索するジョブ探索コマンドを含むことを特徴とする。
【０１８３】
実施態様４は、外部から送信される制御コマンドを解析して所定のジョブ処理要求、ジョブ管理要求、ログ管理要求を処理する周辺機器におけるジョブ管理方法であって、
前記所定のジョブ処理を要求する制御コマンドの受付に応じて、該ジョブの管理情報を記憶装置内に一時的に生成するジョブ受付ステップ（図８に示すステップ（３３））と、
前記ジョブ処理を要求する制御コマンドより、前記周辺機器外で付与されたジョブ識別情報および機能設定情報を取り出し、前記ジョブ受付ステップで生成される該ジョブの管理情報内に記録するジョブ属性設定ステップ（図８に示すステップ（３７））と、
前記ジョブ処理を要求する制御コマンドに応じてジョブ処理を行ない、該ジョブの開始から終了までの一連の処理状況を前記ジョブ受付ステップで生成される該ジョブの管理情報内に管理するジョブ管理ステップ（図８に示すステップ（３３）以降）と、
前記ジョブ処理の完了に伴い、該ジョブのログ情報を前記記憶装置内に生成し、該ジョブの前記ジョブ識別情報および機能設定情報、該ジョブの処理結果をログ情報内に記録するログ記録ステップ（図８に示すステップ（４６））と、
前記周辺機器と接続可能な、前記ログ情報を外部で永続管理するサーバ装置を設定するサーバ設定ステップ（図７に示すステップ（２８））と、
前記サーバ設定ステップで設定されたサーバ装置に、前記ログ情報をアップロードするアップロードステップ（図１１に示すステップ（８１）から（８３））と、
前記ジョブ管理を要求する制御コマンドに基づき、前記管理情報あるいは前記ログ情報より指定のジョブ識別情報を探索する探索ステップ（図１０に示すステップ（６１））と、
前記探索ステップにおいて、前記管理情報より指定のジョブ識別情報を探索できた場合に、前記管理情報より該当するジョブの機能設定情報および処理状況を取得して、ジョブ探索要求元に返信する管理情報返信ステップ（図１０に示すステップ（６３））と、
前記探索ステップにおいて、前記ログ情報より指定のジョブ識別情報を探索できた場合に、前記ログ情報より該当するジョブの機能設定情報および処理結果を取得して、ジョブ探索要求元に返信するログ情報返信ステップ（図１０に示すステップ６６））と、前記探索ステップにおいて、前記管理情報および前記ログ情報いずれからも指定のジョブ識別情報を探索できなかった場合に、前記サーバ装置に対して指定のジョブ識別情報に基づくログ情報の取得を要求し、該当するジョブの機能設定情報および処理結果を取得して、ジョブ探索要求元に返信するサーバログ情報返信ステップ（図１０に示すステップ（６７））と、を有することを特徴とする。
【０１８４】
実施態様５は、前記ログ記録ステップは、所定量のログ情報を管理し、最新のジョブ終了時、前記記憶装置に管理されているログ情報数が所定量に達していた場合は、もっとも古いログ情報の内容を最新のジョブに関するログ情報に更新することを特徴とする。
【０１８５】
実施態様６は、前記制御コマンドは、前記記憶装置に記録される情報を取得するための情報取得コマンド、前記記憶装置に記録される情報を設定する情報設定コマンド、ジョブ実行依頼を指示するジョブ実行依頼コマンド、前記記憶装置に記録されている複数個のジョブに関するジョブ管理情報を一覧表示するためのジョブ一覧コマンド、前記サーバからログ情報の取得を指示するログアップロードコマンド、前記記憶装置に記録されているジョブ管理情報およびログ情報を前記ジョブ識別情報をキーとして探索するジョブ探索コマンドを含むことを特徴とする。
【０１８６】
実施態様７は、請求項４〜６のいずれかに記載のジョブ管理方法を実現するプログラムをコンピュータが読み取り可能な記憶媒体に記憶したことを特徴とする。
【０１８７】
実施態様８は、請求項４〜６のいずれかに記載のジョブ管理方法を実現するプログラムであることを特徴とする。
【０１８８】
【発明の効果】
以上説明したように、本発明によれば、所定のジョブ処理を要求する制御コマンドの受付に応じて、該ジョブの管理情報を記憶装置内に一時的に生成し、
ジョブ処理を要求する制御コマンドより、周辺機器外で付与されたジョブ識別情報および機能設定情報を取り出し、ジョブの管理情報内に記録し、ジョブ処理を要求する制御コマンドに応じてジョブ処理を行ない、ジョブの開始から終了までの一連の処理状況をジョブ受付手段で生成されるジョブの管理情報内に管理し、ジョブ処理の完了に伴い、ジョブのログ情報を記憶装置内に生成し、ジョブ識別情報および機能設定情報、処理結果をログ情報内に記録し、周辺機器と接続可能な、ログ情報を外部で永続管理するサーバ装置を設定し、設定されたサーバ装置にログ情報をアップロードし、ジョブ管理を要求する制御コマンドに基づき、管理情報あるいはログ情報より指定のジョブ識別情報を探索し、管理情報より指定のジョブ識別情報を探索できた場合に、該当するジョブの機能設定情報および処理状況を取得して、ジョブ探索要求元に返信し、ログ情報より指定のジョブ識別情報を探索できた場合に、該当するジョブの機能設定情報および処理結果を取得して、ジョブ探索要求元に返信し、管理情報およびログ情報いずれからも指定のジョブ識別情報を探索できなかった場合に、サーバ装置に対して指定のジョブ識別情報に基づくログ情報の取得を要求し、該当するジョブの機能設定情報および処理結果を取得して、ジョブ探索要求元に返信する、ことにより、システム資源に負荷をかけることなく、また、ネットワーク上のトラフィック負担を強いることなく、ユーザが周辺機器に依頼したジョブに関する情報が周辺機器の管理対象外となった後でも、ジョブの処理状況や処理結果を確実に把握可能なジョブ処理管理環境を自在に構築できるという効果を奏する。
【図面の簡単な説明】
【図１】本発明の一実施形態を示す周辺機器を適用可能なデータ処理システムの一例を示す構成図である。
【図２】図１に示した周辺機器のハードウエア構成を示した概略図である。
【図３】図１に示したＰＣのハードウエア構成を示した概略図である。
【図４】本発明に係る情報処理装置におけるジョブ処理を指示するコマンド群の一例を示す図である。
【図５】図１に示した周辺機器のＲＡＭ内に確保されるジョブキューの一例を示す図である。
【図６】本発明に係る周辺機器における第１のデータ処理手順の一例を示すフローチャートである。
【図７】本発明に係る周辺機器における第２のデータ処理手順の一例を示すフローチャートである。
【図８】本発明に係る周辺機器における第３のデータ処理手順の一例を示すフローチャートである。
【図９】本発明に係る周辺機器における第４のデータ処理手順の一例を示すフローチャートである。
【図１０】本発明に係る周辺機器における第５のデータ処理手順の一例を示すフローチャートである。
【図１１】本発明に係る周辺機器における第６のデータ処理手順の一例を示すフローチャートである。
【図１２】本発明に係る情報処理装置における第１のデータ処理手順の一例を示すフローチャートである。
【図１３】図１に示した周辺機器内で管理する属性情報テーブルの一例を示す図である。
【図１４】本発明に係るサーバ装置における第１のデータ処理手順の一例を示すフローチャートである。
【図１５】図４に示したジョブ識別情報の内容の一例を示す図である。
【図１６】図１に示した周辺機器内で発生した特定のイベントの発生やそれに伴う情報を記録するログ情報の一例、あるいは図１に示したサーバ装置内で管理するログ情報の一例を示す図である。
【図１７】本発明に係る情報処理装置における第２のデータ処理手順の一例を示すフローチャートである。
【図１８】本発明に係る情報処理装置におけるジョブの処理結果および処理状況を表示する画面の一例を示す図である。
【図１９】本発明に係るサーバ装置における第２のデータ処理手順の一例を示すフローチャートである。
【図２０】本発明に係るサーバ装置における第３のデータ処理手順の一例を示すフローチャートである。
【図２１】本発明に係る周辺機器で読み出し可能な各種データ処理プログラムを格納する記憶媒体のメモリマップを説明する図である。
【図２２】本発明に係るサーバ装置で読み出し可能な各種データ処理プログラムを格納する記憶媒体のメモリマップを説明する図である。
【図２３】本発明に係る情報処理装置（ＰＣ）で読み出し可能な各種データ処理プログラムを格納する記憶媒体のメモリマップを説明する図である。
【符号の説明】
ｂ０１  ＣＰＵ
ｂ０２  ＲＡＭ
ｂ０３  ＲＯＭ
ｂ０４  ＤＩＳＫ
ｂ０５  ＬＣＤ
ｂ０６  キーボード
ｂ０７  通信インタフェース
ｂ０８  スキャナエンジン
ｂ０９  プリンタエンジン
ｂ１０  ファックスボード
ｂ２０  システムバス
【図１】
2004157833.tif 000003
【図２】
2004157833.tif 000004
【図３】
2004157833.tif 000005
【図４】
2004157833.tif 000006
【図５】
2004157833.tif 000007
【図６】
2004157833.tif 000008
【図７】
2004157833.tif 000009
【図８】
2004157833.tif 000010
【図９】
2004157833.tif 000011
【図１０】
2004157833.tif 000012
【図１１】
2004157833.tif 000013
【図１２】
2004157833.tif 000014
【図１３】
2004157833.tif 000015
【図１４】
2004157833.tif 000016
【図１５】
2004157833.tif 000017
【図１６】
2004157833.tif 000018
【図１７】
2004157833.tif 000019
【図１８】
2004157833.tif 000020
【図１９】
2004157833.tif 000021
【図２０】
2004157833.tif 000022
【図２１】
2004157833.tif 000023
【図２２】
2004157833.tif 000024
【図２３】
2004157833.tif 000025